(57)【要約】【課題】  遠隔制御と放送受信が行える携帯端末で視聴していた番組の放送受信を止めた後、外部の放送受信機器を起動したとき、同じ番組を視聴できる携帯端末を提供することを目的とする。【解決手段】  携帯端末１００で、放送受信部１７０により放送を受信しているとき、その放送からEPGの情報も取得して制御部１９０を通じて情報記憶部１３０に記憶する。その放送の受信を終了するとき、制御部１９０は更に、受信していた放送の情報とそのときの時刻を情報記憶部１３０に記憶する。操作部１５０を通じてユーザにより外部の放送受信機器２００の起動指示があると、制御部１９０は情報記憶部１３０に記憶している前記の放送の情報と時刻、及びEPGとから、最近まで受信していた番組が現在も行なわれているか判定し、行なわれていると判定したとき、制御部１９０は、起動と前記放送情報による選局との指示を遠隔送受信部１８０を通じて外部機器２００に送信する。【選択図】  図１
2005223628.tif 000002
【特許請求の範囲】
【請求項１】
放送を受信し、外部の放送受信機器の遠隔操作を行なう機能を有する携帯端末であって、
放送の受信を終了するとき、受信していた放送局の情報を最終視聴情報として、放送の受信を終了する時刻を最終視聴時刻として、それぞれ記憶する記憶手段と、
外部の放送受信機器の起動を受け付ける起動受付手段と、
起動を受け付けた時点で放送の受信が終了している場合、前記最終視聴時刻に前記最終視聴情報で示される放送局で視聴していた番組が放送中か否かを判定する判定手段と、
放送中と判定されたとき、前記起動受付手段で受け付けた外部の放送受信機器に対して、起動と前記最終視聴情報で示される放送の選局とを指示する指示手段とを備えることを特徴とする携帯端末。
【請求項２】
番組の放送時間を示す電子番組ガイドを取得する電子番組ガイド取得手段を更に備え、
前記記憶手段は、
取得された前記電子番組ガイドを記憶する電子番組ガイド記憶部を有し、
前記判定手段は、
前記電子番組ガイドに基づき前記最終視聴時刻における前記最終視聴情報で特定される放送局の番組を特定し、特定された番組の終了時刻が現在時刻後のとき、放送中と判定することを特徴とする請求項１記載の携帯端末。
【請求項３】
前記記憶手段は、更に、
前記判定手段により使用される判定基準時間を記憶する判定基準時間記憶部を有し、
前記判定手段は、
現在時刻が前記最終視聴時刻から前記判定基準時間を経過していないとき、放送中と判定することを特徴とする請求項１記載の携帯端末。
【請求項４】
放送を受信し、外部の放送受信機器の遠隔操作を行なう機能を有する携帯端末における遠隔制御方法であって、
放送の受信を終了するとき、受信していた放送局の情報を最終視聴情報として、放送の受信を終了する時刻を最終視聴時刻として、記憶領域にそれぞれ記憶する記憶ステップと、
外部の放送受信機器の起動を受け付ける起動受付ステップと、
起動を受け付けた時点で前記放送受信再生ステップによる放送の受信が終了している場合、前記最終視聴時刻に前記最終視聴情報で示される放送局で視聴していた番組が放送中か否かを判定する判定ステップと、
放送中と判定されたとき、前記起動受付ステップで受け付けた外部の放送受信機器に対して、起動と前記最終視聴情報で示される放送局への選局とを指示する指示ステップとを備えることを特徴とする携帯端末における遠隔制御方法。
【請求項５】
請求項４記載の遠隔制御方法をコンピュータに実行させる遠隔制御プログラム。
【発明の詳細な説明】
【技術分野】
【０００１】
本発明は、携帯端末に関し、特に放送受信機能と外部放送受信機器に対する遠隔操作機能とを併せ持った携帯端末に関する。
【背景技術】
【０００２】
携帯電話で代表される携帯端末は、益々機能が高度化、多様化し、例えば、中波、短波、極超短波のラジオ放送だけでなく、アナログあるいは地上波ディジタルのテレビ放送も含む各種の放送を受信することが出来るものがある。また、放送の受信だけでなく、外部のテレビおよびラジオ等の放送受信機器をリモコン操作出来るものもある。特許文献１に、外部機器のリモコンに関する技術が開示されている。
【０００３】
外出先で放送を視聴したければ、携帯端末をラジオやテレビのモードにして楽しむことができ、また帰宅すればリモコン機能を使って、専用の放送受信機器を立ち上げ、大画面、大音量で楽しむことができる。
【特許文献１】特開２００３−７８９７７号公報
【発明の開示】
【発明が解決しようとする課題】
【０００４】
その際、例えばある放送チャネルを携帯端末で視聴していて受信をいったん中断してしばらく後、同じ番組を今度は専用の放送受信機器で視聴したいとき、携帯端末を使ってその放送受信機器をリモートコントロールで立ち上げ、携帯端末で視聴していた放送番組のチャネルあるいは周波数をまた指定しなければならないのは面倒である。
このように放送を受信中でなくても、携帯端末で最近まで受信し視聴していた放送の番組を、専用の放送受信機器により視聴再開したいという要望がある。
【０００５】
本発明はかかる課題に鑑み、携帯端末で受信していた放送番組の受信を終了した後でも、専用の放送受信機器を起動するとき、ユーザに操作負担をかけないで、できるだけ同じ番組を視聴できる携帯端末を提供することを目的とする。
【課題を解決するための手段】
【０００６】
上記課題を解決するために本発明の携帯端末は、放送を受信し、外部の放送受信機器の遠隔操作を行なう機能を有する携帯端末であって、放送の受信を終了するとき、受信していた放送局の情報を最終視聴情報として、放送の受信を終了する時刻を最終視聴時刻として、それぞれ記憶する記憶手段と、外部の放送受信機器の起動を受け付ける起動受付手段と、起動を受け付けた時点で放送の受信が終了している場合、前記最終視聴時刻に前記最終視聴情報で示される放送局で視聴していた番組がなおも放送中か否かを判定する判定手段と、放送中と判定されたとき、前記起動受付手段で受け付けた外部の放送受信機器に対して、起動と前記最終視聴情報で示される放送の選局とを指示する指示手段とを備えることとしている。
【発明の効果】
【０００７】
上記構成により、携帯端末は、携帯端末で受信していた放送番組の視聴を中断したとき、そのときの放送の情報と時刻を記憶しているので、専用の放送受信機器を起動（電源オン設定）して視聴しようとするとき、なおもその番組の放送が行われているか判断し、行なわれていると判断したとき、当該放送受信機器に対し番組を放送している放送局の選局も行わせるので、携帯端末で視聴していたのと同じ番組が、その放送を選局する為の操作負担なしで視聴できる。
【０００８】
また、番組の放送時間を示す電子番組ガイドを取得する電子番組ガイド取得手段を更に備え、前記記憶手段は、取得された前記電子番組ガイドを記憶する電子番組ガイド記憶部を有し、前記判定手段は、前記電子番組ガイドに基づき前記最終視聴時刻における前記最終視聴情報で特定される放送局の番組を特定し、特定された番組の終了時刻が現在時刻後のとき、放送中と判定することとしている。
【０００９】
これにより、携帯端末で最近まで放送を受信していたとき、受信と並行して電子番組ガイドも取得されているので、当該番組がなおも放送中であるか否かを電子番組ガイドを参照して判断できる。
また、前記記憶手段は、更に、前記判定手段により使用される判定基準時間を記憶する判定基準時間記憶部を有し、前記判定手段は、現在時刻が前記最終視聴時刻から前記判定基準時間を経過していないとき、なおも放送中と判定することこととしている。
【００１０】
これにより、最近まで携帯端末で視聴していた番組がなおも放送中であるか否かを最終視聴時刻と判定基準時間とから判断できる。
また、本発明の遠隔制御方法は、放送を受信し、外部の放送受信機器の遠隔操作を行なう機能を有する携帯端末における遠隔制御方法であって、放送の受信を終了するとき、受信していた放送局の情報を最終視聴情報として、放送の受信を終了する時刻を最終視聴時刻として、記憶領域にそれぞれ記憶する記憶ステップと、外部の放送受信機器の起動を受け付ける起動受付ステップと、起動を受け付けた時点で前記放送受信再生ステップによる放送の受信が終了している場合、前記最終視聴時刻に前記最終視聴情報で示される放送局で視聴していた番組が放送中か否かを判定する判定ステップと、放送中と判定されたとき、前記起動受付ステップで受け付けた外部の放送受信機器に対して、起動と前記最終視聴情報で示される放送局への選局とを指示する指示ステップとを有することとしている。
【００１１】
上記方法により、携帯端末は、携帯端末で受信していた放送番組の視聴を中断したとき、そのときの放送の情報と時刻を記憶しているので、専用の放送受信機器を起動（電源オン設定）して視聴しようとするとき、当該番組の放送が行われているか判断し、行なわれていると判断したとき、当該放送受信機器に対し、当該番組を放送している放送局の選局も行わせるので、携帯端末で視聴していたのと同じ番組の放送を選局する操作の負担が軽減される。
【００１２】
また、本発明の遠隔制御プログラムは、前記遠隔制御方法をコンピュータに実行させるプログラムとしている。
このプログラムをコンピュータで実行することにより、携帯端末で受信していた放送番組の視聴を中断したとき、そのときの放送の情報と時刻を記憶しているので、専用の放送受信機器を起動（電源設定）して視聴しようとするとき、その番組の放送が行われているか判断し、行なわれていると判断したとき、当該放送受信機器に対し番組を放送している放送局の選局も行わせるので、携帯端末で視聴していたのと同じ番組の放送を選局する操作の負担が軽減される。
【発明を実施するための最良の形態】
【００１３】
以下、本発明に係る携帯端末である携帯電話機の実施の形態について図面を用いて説明する。
（第１の実施の形態）
図１は、第1の実施の形態の携帯端末である携帯電話機のブロック構成と、外部の放送受信機器２００を示す。第1の実施の形態の携帯電話機は、アンテナ１０１、通信部１１０、音声処理部１２０、マイク１２１、スピーカ１２２、情報記憶部１３０、操作部１５０、表示部１６０、放送受信部１７０、遠隔送受信部１８０、制御部１９０から構成される。
【００１４】
図２は、本実施の形態の携帯端末としての折り畳み式携帯電話機の開いた状態を示す正面図である。図２の各符合は、図１において対応する構成部があればその符号と同じものが付されている。
アンテナ１０１は、不図示の放送局および通信基地局からの電波を受け取り、無線部１０２に伝達する。また逆に、無線部１０２からの変調信号を受け取り、通信基地局に電磁放射する。
【００１５】
無線部１０２は、アンテナ１０１からの変調信号を受け取り、通信の信号は通信部１１０に、放送の信号は放送受信部１７０に伝達する。また逆に、通信部１１０からの変調信号を受け取り、アンテナ１０１に伝達する。
通信部１１０は、無線部１０２を通じて、通話、受信メール、Web情報等の変調信号を受け取り、増幅、復調し、通話音声は音声処理部に伝達する。また、着信あるいは受信の表示、メールの読み出し時の表示、Webの内容表示等は表示部１６０に対して行う。
【００１６】
音声処理部１２０から伝達された当該電話機の話者の音声、あるいは操作部１５０を通じて作成された送信メール等を、変調し無線部１０２を介して送信する。
音声処理部１２０は、マイク１２１から受け取った当携帯電話機の話者の音声を通信部１１０に伝達する。また、通信部１１０から受け取った通話相手の音声信号をスピーカ１２２に出力する。
【００１７】
情報記憶部１３０は、RAM（Random Access Memory）およびROM（Read Only Memory）で実現され、最終視聴情報、最終視聴時刻、及び電子番組ガイドを記憶している。
図３は、最終視聴情報３０２及び最終視聴時刻３０３の例を示している。
最終視聴情報３０２は、放送受信部１７０による放送を受信していないとき、以前に受信、再生して視聴していた放送局の情報であり、テレビまたはラジオで示される放送種類と放送局のチャネルまたは周波数からなる。最終視聴情報３０２は、放送受信部１７０による放送を制御部１９０により終了したとき、制御部１９０により記録される。
【００１８】
また、最終視聴時刻３０３は、放送受信部１７０による放送受信を制御部１９０により終了したとき、受信終了の時刻を日付けを含めて制御部１９０により記録される。最終視聴情報３０２と最終視聴時刻３０３とが記録される前に、以前に記録された最終視聴情報と最終視聴時刻とがあれば、それらに上書きして、更新される。
図４は、電子番組ガイド４０１の例を示している。電子番組ガイド４０１は放送番組の案内情報であり、放送局別、チャネルまたは周波数別に番組の内容を記載している。電子番組ガイド４０１は、放送受信部１７０により放送受信中に、その受信中の放送に組み込まれている、その放送局の電子番組ガイドの情報を放送受信部１７０が適宜取得し、制御部１９０に渡され、制御部１９０により電子番組ガイド４０１として書込み、更新が行なわれる。受信している放送局の放送番組を最終視聴時刻から少なくも１日分、電子番組ガイド４０１に記録している。
【００１９】
操作部１５０は、外部の放送受信機器の遠隔操作、放送の受信および選局、通話、メールの送受信、Webへのアクセス等のためにユーザにより操作され、操作内容を制御部１９０あるいは通信部１１０に伝達する。
操作部１５０は、放送メニュボタン１５１、起動ボタン１５２、５接点ボタン１５３、数字ボタン１５５等のボタンからなる。放送メニュボタン１５１、起動ボタン１５２、あるいは放送受信中の数字ボタンの押下は、制御部１９０に伝達し、通信に関するボタン、例えばオンフックボタン（不図示）の押下は、通信部１１０に伝達する。
【００２０】
表示部１６０は、例えば液晶パネルで実現され、メニュの表示、テレビあるいはFM文字放送等での文字の表示、テレビ放送受信中の画面表示、メールあるいはWebの表示などに使用される。
放送受信部１７０は、制御部１９０からの指示により、テレビまたはラジオの放送の受信（再生を含む）を開始または終了する。また、放送受信部１７０は、放送受信中に制御部１９０から指示された放送の選局を行う。
【００２１】
遠隔送受信部１８０は、制御部１９０による制御の下で、外部の放送受信機器に対する制御信号の送受信を行なう。遠隔送受信部１８０は、例えば赤外線の発光素子と受光素子で実現され、外部の放送受信機器と赤外線により送受信を行なう。
遠隔送受信部１８０は、制御部１９０の指示により、外部の放送受信機器２００に対し起動（電源オンの設定）、選局の指示信号を送信する。ここで、指示信号で指示される外部の放送受信機器２００は、遠隔送受信部１８０からの指示信号が到達できる放送受信機器とする。
【００２２】
制御部１９０は、表示部１６０、放送受信部１７０および遠隔送受信部１８０の制御を行なう。
制御部１９０は、放送メニュボタン１５１の押下が操作部１５０から伝達されると、放送メニュを表示部１６０に表示する制御を行なう。
図５は、制御部１９０が表示する放送メニュの例である。
【００２３】
放送メニュ５０１のメニュ項目は３つあり、その選択は、先ず項目番号の数字ボタンを押下し、次に５接点ボタン１５３の中央ボタンを押下することにより行なう。
放送メニュ５０１のメニュ項目のうち、項目１の遠隔操作は、外部の放送受信機器２００に対する遠隔操作を行うときに選択される。この指定がされると、制御部１９０は、携帯電話機を、遠隔操作の指示を操作部１５０を通じて受け付ける遠隔操作モードに設定する。
【００２４】
遠隔操作モードは後述のテレビモードあるいはラジオモードと両立できる。
遠隔操作モードのときの制御部１９０の動作については後述する。
遠隔操作モードのとき、放送メニュ５０１で再度、遠隔操作ボタンが押下されると制御部１９０は、遠隔操作モードを解除する。
放送メニュ５０１の項目２のテレビモードが選択されると、制御部１９０は携帯電話機をテレビ放送を受信するテレビモードに設定し、放送の受信を開始する。テレビモードの下でチャネル番号を指定するため、数字ボタン１５５に続いて５接点ボタン１５３の中央ボタンがユーザにより押下されると、数字ボタンのチャネル番号の選局を行うように、放送受信部１７０に指示する。
【００２５】
同様に、項目３のラジオモードが選択されると、制御部１９０は携帯電話機をラジオ放送を受信するラジオモードに設定し、FM放送を含むラジオ放送の受信を開始する。ラジオモードの下で、チャネル番号を指定するため、数字ボタン１５５に続いて５接点ボタン１５３の中央ボタンが押下されるか、あるいは周波数入力のため数字ボタン１５５に続いて、MHｚあるいはKHzの単位を示すMあるいはKの文字ボタン（不図示）、そして５接点ボタン１５３の中央ボタンが押下されると、そのチャネルまたは周波数の選局を行なうように放送受信部１７０に指示する。
【００２６】
放送メニュ５０１において、現在設定されている放送のモードと同じモードが再び選択されると、制御部１９０は、そのモードの解除を行うとともに、放送受信部１７０にそのモードの放送の受信を終了するように指示する。
制御部１９０は、放送の受信を終了するように放送受信部１７０に指示するとき、情報記憶部１３０の最終視聴情報３０２を受信していた放送の情報に更新し、最終視聴時刻３０３を現在の時刻に更新する。
【００２７】
制御部１９０は、遠隔操作モードのとき、起動ボタン１５２が押下されると次の処理を行う。
携帯電話機が放送受信中の場合、外部の放送受信機器２００に対して起動（電源の設定）と、携帯電話機で放送受信中と同じ放送の選局とを指示する情報を送信するように遠隔送受信部１８０を制御する。
【００２８】
携帯電話機が放送受信中ではない場合、携帯電話機が最近視聴していた番組がなおも放送中かどうかを、制御部１９０は次の方法で判定する。まず、電子番組ガイド４０１、最終視聴情報３０２、及び最終視聴時刻３０３を情報記憶部１３０からそれぞれ読み出す。
次に、読み出した電子番組ガイドから、最終視聴情報３０２で示された放送局の番組を特定し、現在時刻がその番組の終了時刻前かどうかをチェックする。
【００２９】
現在時刻がその番組の終了時刻前であれば、その番組はなおも放送中であると判定し、その番組の終了時刻前でなければ、放送終了と判定する。
なおも放送中と判定したとき、制御部１９０は、遠隔送受信部１８０に対して起動と最終視聴情報３０２に基づく選局とを指示する指示情報を送信するように、遠隔送受信部１８０を制御し、携帯電話機で最近視聴していた番組と同じ番組を外部の放送受信機器２００でも視聴できるようにする。
【００３０】
また、放送終了と判定したとき、制御部１９０は、起動を指示する情報を送信するように遠隔送受信部１８０を制御する。この場合、外部の放送受信機器２００が受信する放送の選局はその放送受信機器２００に委ねられる。
また、遠隔操作モードにおいて、外部の放送受信機器２００を起動し、受信しているとき、制御部１９０は次のようにして外部の放送受信機器２００の選局処理を行う。
【００３１】
携帯電話機の選局のときと同様に、数字ボタン１５５に続いて５接点ボタン１５３の中央ボタンが押下されるか、あるいは周波数入力のため数字ボタン１５５に続いて、MHｚあるいはKHzの単位を示すMあるいはKの文字ボタン（不図示）、そして５接点ボタン１５３の中央ボタンが押下されると、そのチャネルまたは周波数の選局を指示する情報を送信するように遠隔送受信部１８０を制御する。
【００３２】
図６〜８は、本実施の形態での携帯電話機による遠隔操作に係る動作を示すフローチャートである。これらの図を用いて、上記動作について説明する。
先ず、制御部１９０は、ユーザの操作を受け付ける（Ｓ１０）。
制御部１９０は、操作部１５０から伝達されたユーザの操作が、放送メニュ５０１の項目１の「遠隔操作」の選択であるかどうかをチェックする（S２０）。
【００３３】
そうでなければ、遠隔操作ではなく携帯電話機への指示であり、それが放送メニュボタン１５１の押下であれば（S２００）、放送メニュ５０１を表示する（S２０５）。また、放送メニュ５０１の項目２の「テレビモード」又は項目３の「ラジオモード」が選択されたとき（S２１０）、制御部１９０は、現在放送受信中でなければ、放送受信部１７０に対して、項目２の選択の場合はテレビ放送を、また項目３の場合はラジオ放送を受信開始するように指示する（S２１５）。
【００３４】
現在放送受信中であって、その受信中のモードと同じモードが選択されると、制御部１９０は、そのモードの解除、つまり放送受信の終了指示とみなし（S２２０）、情報記憶部１３０の最終視聴情報３０２を受信中の放送の情報に更新し、最終視聴時刻３０３を現在の時刻に更新する（S２２５）。そして、放送受信部１７０に放送の受信を終了するように指示する（S２２７）。
【００３５】
ユーザによる操作がチャネルあるいは周波数の指定の場合、携帯電話機で放送受信中なら（S２３０）、制御部１９０は放送受信部１７０に対してユーザ指定の選局を行うように指示する（S２３５）。
また、ステップS２０で、ユーザの操作が、放送メニュ５０１の項目１の「遠隔操作」の選択である場合、制御部１９０は、遠隔操作の指示を受け付ける（S３０）。ユーザが携帯電話機を例えばある外部の放送受信機器２００に向けて起動ボタン１５２を押下したとき、制御部１９０は当該放送受信機器２００の電源設定の指示とみなし（S４０）、携帯電話機が放送受信中かどうかをチェックする（S５０）。
【００３６】
制御部１９０は、携帯電話機が放送受信中であれば、制御部１９０は受信中と同じ放送の選局の指示を準備する（S７０）。
また、携帯電話機が放送受信中でなければ、携帯電話機で最近受信していた番組がなおも放送中かどうかを、制御部１９０は判定する（S８０）。
その判定は次のようにして行なう。制御部１９０は、まず、情報記憶部１３０から電子番組ガイド４０１を読み出し（S２５０）、続いて最終視聴情報３０２と最終視聴時刻３０３とをそれぞれ読み出す（S２６０）。次に、読み出した電子番組ガイド４０１から、最終視聴情報３０２で示された放送局の番組を特定し、現在時刻がその番組の終了時刻前かどうかをチェックする（S２７０）。
【００３７】
現在時刻がその番組の終了時刻前であれば、最終視聴情報３０２と最終視聴時刻３０３とで示された番組は、現在も放送中であると判定し（S２９０）、そうでなければ放送終了と判定する（S２８５）。現在も放送中であると判定されたとき、制御部１９０は最終視聴情報の放送の選局指示を準備する（S１００）。
次に、制御部１９０は、上記で選局指示の準備がなければ、電源設定だけの指示情報を遠隔送受信部１８０に伝達し（S１１０）、選局の指示があれば、電源設定の指示とその選局とを当該放送受信機器２００に対する指示情報として、遠隔送受信部１８０に伝達する（S１３０）。遠隔送受信部１８０は、制御部１９０から受け取った上記指示情報を当該放送受信機器２００に送信する。上記処理後、S１０に戻る。
【００３８】
なお、放送受信中に、その受信中の放送に組み込まれて送られてくるその放送局の電子番組ガイドの情報を、放送受信部１７０が適宜取得し、その情報が制御部１９０に渡され、制御部１９０により情報記憶部１３０の電子番組ガイド４０１として書込み、更新が行なわれるが、この動作の図示と説明とを省略した。
また、放送受信モードにおいて、起動時の選局指示とは別に、外部の放送受信機器２００に対する選局だけの操作とその処理に関する動作もあるが、この動作の図示と説明とを省略した。
（第２の実施の形態）
次に、本発明に係る携帯端末である携帯電話機の第２の実施の形態について図面を用いて説明する。第２の実施の形態は、第１の実施の形態とほぼ同様であるので、相違する部分を中心に以下に説明する。
【００３９】
本実施の形態の携帯電話機のブロック構成は図１とほぼ同様であるが、携帯電話機で視聴していた番組がなおも放送中かどうかの判定に係る部分が相違する。つまり、情報記憶部１３０の記憶内容と、放送受信部１７０及び制御部１９０の上記判定動作とが第１の実施の形態と異なる。
本実施の形態では、情報記憶部１３０の第１の実施の形態にあった電子番組ガイド４０１に換えて、判定基準時間という情報が記憶されている。
【００４０】
図９は、情報記憶部１３０に記憶される判定基準時間の例を示す図である。判定基準時間は、携帯電話機で受信していた番組が、現在も継続中かどうかの判定基準として使用される時間である。図９のように予めある値（単位は分）に設定されている。この値はユーザにより操作部１５０を通じて変更することも出来る。
放送受信部１７０及び制御部１９０は、第１の実施の形態における電子番組ガイドに関する処理は行わない。
【００４１】
図１０は、携帯電話機で視聴していた番組がなおも放送中かどうかの判定部分に関する動作のフローチャートである。
制御部１９０は、第１の実施の形態における図８の番組判定に換えて、図１０による判定を行なう。以下にその動作を説明する。
制御部１９０は、情報記憶部１３０から判定基準時間９０１を（S３００）、続いて最終視聴時刻３０３を（S３１０）、それぞれ読み出す。
【００４２】
現在が、最終視聴時刻３０３から判定基準時間９０１以上経過しているか否かチェックし（S３２０）、経過していなければ、当該番組はなおも放送中と判定し（S３３０）、経過していれば放送終了と判定する（S３３５）。
以上、本発明を上記２つの実施の形態に基づいて説明してきたが、本発明は、上記２つの実施の形態に限定されないのはもちろんである。以下のような場合も本発明に含まれる。
【００４３】
本発明は、実施の形態では携帯電話機として説明したが、携帯電話機に限定されないのは勿論であり、他の携帯端末、例えばPDA（Personal Data Assistant）にも適用できる。
実施の形態では、外部の放送受信機器との交信には赤外線を使用した。赤外線を使用した代表的規格にはIrDA（Infrared Data Association）があり、この規格を使用しても良い。
【００４４】
また、遠隔操作の対象となる放送受信機器は、放送種類とチャネル等からなる選局情報
で指定された放送が受信できる機器である必要があり、実施の形態では、起動と選局の指示の対象となる放送受信機器に関しては、赤外線で送信されたこの指示を受信した機器として、指示情報では特に機器指定はしなかった。これを、放送受信機器、例えばテレビあるいはステレオなどを、携帯端末の情報記憶部に識別記号で登録しておき、遠隔操作の際に放送種類が合致する放送受信機器の識別記号を指定して、起動指示等するようにしてもよい。
【００４５】
また、IrDA以外の他の通信規格、例えばBlue Tooth規格により遠隔制御するようにしてもよい。
また、上記の実施の形態では、同一番組が放送中か否かを携帯電話機で判定していたが、外部の放送受信機器に電子番組ガイドあるいは判定基準時間を記憶させるようにし、最終視聴情報のチャネル（または周波数）と最終視聴時刻とを携帯電話機からその放送受信機器の起動指示に併せて通知し、放送受信機器で同一番組が放送中か否かを判定させ、放送中と判定すればその番組を選局させ、放送中でないと判定すればその放送受信機器に設定されていた最終視聴情報のチャネル（または周波数）を選局させるようにしてもよい。
【００４６】
本発明の方法を、コンピュータシステムを用いて実現するためのコンピュータプログラムであるとしてもよいし、前記プログラムを表すデジタル信号であるとしてもよい。
また、本発明は、前記プログラム又は前記デジタル信号を記録したコンピュータ読取り可能な記録媒体、例えば半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【産業上の利用可能性】
【００４７】
本発明に係る携帯端末は家庭用放送受信機器のリモートコントロールで活用される。
【図面の簡単な説明】
【００４８】
【図１】本発明に係る携帯端末の第1の実施の形態のブロック図である。
【図２】上記実施の形態の携帯電話機の正面の概観を示す図である。
【図３】上記実施の形態の最終視聴情報と最終視聴時刻の例を示す図である。
【図４】上記実施の形態の電子番組ガイド（EPG）の例を示す図である。
【図５】上記実施の形態の携帯電話機による放送メニュの例を示す図である。
【図６】上記実施の形態の遠隔制御に係る動作を示すフローチャートの主要部である。
【図７】上記実施の形態の遠隔制御に係る動作を示すフローチャートの一部である。
【図８】上記実施の形態の遠隔制御に係る動作を示すフローチャートの一部である。
【図９】本発明に係る携帯端末の第２の実施の形態の判定基準時間の例を示す図である。
【図１０】上記実施の形態の遠隔制御に係る動作を示すフローチャートの一部である。
【符号の説明】
【００４９】
１０１  アンテナ
１０２  無線部
１１０  通信部
１２０  音声処理部
１２１  マイク（送話部）
１２２  スピーカ（受話部）
１３０  情報記憶部
１５０  操作部
１５１  放送メニュボタン
１５２  起動ボタン
１５３  ５接点ボタン
１５５  数字ボタン
１６０  表示部
１７０  放送受信部
１８０  遠隔送受信部
１９０  制御部
２００  外部の放送受信機器
３０１  最終視聴情報及び最終視聴時刻の例
４０１  電子番組ガイドの例
５０１  放送メニュの例
９０１  判定基準時間                               
【図１】
2005223628.tif 000003
【図２】
2005223628.tif 000004
【図３】
2005223628.tif 000005
【図４】
2005223628.tif 000006
【図５】
2005223628.tif 000007
【図６】
2005223628.tif 000008
【図７】
2005223628.tif 000009
【図８】
2005223628.tif 000010
【図９】
2005223628.tif 000011
【図１０】
2005223628.tif 000012